【事件の表示】
　特許第３１４３２３９号「田植機の縦送り機構調節構造」の請求項１ないし３に係る特許に対する特許異議の申立てについて、次のとおり決定する。
【結　論】
　訂正を認める。
　特許第３１４３２３９号の請求項１ないし３に係る特許を取り消す。
【理　由】
１．手続の経緯
　特許第３１４３２３９号の請求項１ないし３に係る発明についての出願は、平成４年１２月３日に特許出願され、平成１２年１２月２２日にその発明について特許権の設定がなされた後、その特許について、特許異議申立人ヤンマー農機株式会社より特許異議の申立てがなされ、取消理由が通知され、その指定期間内である平成１４年３月１１日に訂正請求がなされたものである。
　　　　　　　　　　　　　　　　　　　　　　　　　　　　　　　　　
２．訂正の適否についての判断　　　　　　　　　　　　　　　　　　　
（１）訂正の内容
訂正事項a
　特許明細書の特許請求の範囲の請求項１の記載を下記のとおり訂正。
【請求項１】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記縦送り機構（８ａ）に備えられた操作アーム（１７）を苗送りベルト（１６）による苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、
　前記ワイヤ（２１）におけるインナーワイヤ（２１Ｉ）を押し引き操作することにより、前記操作アーム（１７）の待機位置（Ｔ），（ｔ）を前記操作アーム（１７）の移動方向に沿って変更して、前記縦送り機構（８ａ）の苗送り量を調節するように構成してある田植機の縦送り機構調節構造。
　　　　　　　　　　　　　　　　　　　　　　　　　　　　　　　　　
訂正事項b
　特許明細書の特許請求の範囲の請求項２の記載を下記のとおり訂正。
【請求項２】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記縦送り機構（８ａ）に備えられた操作アーム（１７）を苗送りベルト（１６）による苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、前記ワイヤ（２１）におけるインナーワイヤ（２１Ｉ）の他端側を苗取り量の調節レバー（２５）に接続して、
　前記苗取り量の調節レバー（２５）による前記ワイヤ（２１）の押し引き操作で、前記操作アーム（１７）の待機位置（Ｔ），（ｔ）を前記操作アーム（１７）の移動方向に沿って変更することにより、前記縦送り機構（８ａ）の苗送り量を調節するように構成してある田植機の縦送り機構調節構造。
　　　　　　　　　　　　　　　　　　　　　　　　　　　　　　　　　
訂正事項c
　特許明細書の段落【０００７】の記載を下記のとおり訂正。
【０００７】
　　【課題を解決するための手段】
　本発明の特徴は以上のような田植機の縦送り機構調節構造において、次のように構成することにある。
［１］　苗載せ台に載置された苗を苗取り出し口側に送る苗送りベルトを備えた縦送り機構において、
　前記苗載せ台の左右方向に亘る補強フレームを、前記苗送りベルトの巻回経路を通して、前記苗載せ台の裏側に取り付け、
　前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、
　前記縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、
　前記操作アームに、その操作アームを移動させて苗送り量の調節を行うためのワイヤにおけるインナーワイヤの一端部を直接に接続し、前記ワイヤにおけるアウターワイヤの一端部を前記補強フレームに固定し、
　前記ワイヤにおけるインナーワイヤを押し引き操作することにより、前記操作アームの待機位置を前記操作アームの移動方向に沿って変更して、前記縦送り機構の苗送り量を調節するように構成してある。
　　　　　　　　　　　　　　　　　　　　　　　　　　　　　　　　　
訂正事項d
 特許明細書の段落【０００８】の記載を下記のとおり訂正。
【０００８】
［２］　請求項２に記載したように、苗載せ台に載置された苗を苗取り出し口側に送る苗送りベルトを備えた縦送り機構において、
　前記苗載せ台の左右方向に亘る補強フレームを、前記苗送りベルトの巻回経路を通して、前記苗載せ台の裏側に取り付け、
　前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、
　前記縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、
　前記操作アームに、その操作アームを移動させて苗送り量の調節を行うためのワイヤにおけるインナーワイヤの一端部を直接に接続し、前記ワイヤにおけるアウターワイヤの一端部を前記補強フレームに固定し、前記ワイヤにおけるインナーワイヤの他端側を苗取り量の調節レバーに接続して、
　前記苗取り量の調節レバーによる前記ワイヤの押し引き操作で、前記操作アームの待機位置を前記操作アームの移動方向に沿って変更することにより、前記縦送り機構の苗送り量を調節するように構成してもよい。
　　　　　　　　　　　　　　　　　　　　　　　　　　　　　　　　　
（２）訂正の目的の適否、新規事項の有無及び拡張・変更の存否　 　　　
　上記訂正事項a及びbは特許請求の範囲の減縮を目的とした明細書の訂正に該当しており、また訂正事項c及びdは訂正後の特許請求の範囲の記載と発明の詳細な説明の記載との整合を図るための明りょうでない記載の釈明を目的とした明細書の訂正に該当しており、いずれも新規事項の追加に該当せず、実質上特許請求の範囲を拡張し、変更するものではない。
　　　　　　　　　　　　　　　　　　　　　　　　　　　　　　　　　
（３）むすび　　　　　　　　　　　　　　　　　　　　　　　　　　　　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。 　 　　　　　　　　　　　　　 　　　　　　　　　　　　　　　　　　　　　　　　　　　　　　　３．特許異議申立てについての判断　　　　　　　　　　　　　　　　　
（１）本件の請求項１ないし３に係る発明 　　　　　　　　　　　　　　　上記２．で示したように上記訂正が認められるから、本件の請求項１ないし３に係る発明（以下、それぞれ「本件発明１」、「本件発明２」、「本件発明３」という）は、上記訂正に係る訂正明細書の特許請求の範囲の請求項１ないし３に記載された次のとおりのものである。
【請求項１】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記縦送り機構（８ａ）に備えられた操作アーム（１７）を苗送りベルト（１６）による苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、
　前記ワイヤ（２１）におけるインナーワイヤ（２１Ｉ）を押し引き操作することにより、前記操作アーム（１７）の待機位置（Ｔ），（ｔ）を前記操作アーム（１７）の移動方向に沿って変更して、前記縦送り機構（８ａ）の苗送り量を調節するように構成してある田植機の縦送り機構調節構造。
　　　　　　　　　　　　　　　　　　　　　　　　　　　　　　　　　
【請求項２】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記縦送り機構（８ａ）に備えられた操作アーム（１７）を苗送りベルト（１６）による苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、前記ワイヤ（２１）におけるインナーワイヤ（２１Ｉ）の他端側を苗取り量の調節レバー（２５）に接続して、
　前記苗取り量の調節レバー（２５）による前記ワイヤ（２１）の押し引き操作で、前記操作アーム（１７）の待機位置（Ｔ），（ｔ）を前記操作アーム（１７）の移動方向に沿って変更することにより、前記縦送り機構（８ａ）の苗送り量を調節するように構成してある田植機の縦送り機構調節構造。
　　　　　　　　　　　　　　　　　　　　　　　　　　　　　　　　　
【請求項３】　前記操作アーム（１７）の前記送り位置（Ｓ）側への移動を前記縦送り機構（８ａ）に伝達し、且つ、前記操作アーム（１７）の前記待機位置（Ｔ），（ｔ）側への移動を前記縦送り機構（８ａ）に伝達しない一方向クラッチ（２０）を備えて、
　前記操作アーム（１７）が前記縦送り機構（８ａ）に備えられている部分に、前記一方向クラッチ（２０）を配置してある請求項１又は２記載の田植機の縦送り機構調節構造。　　　　　　　　　　　　　　　　　　　　　　　　　　　　　　　　　　　　　　　　　　
（２）特許第３０５３０８２号の請求項３に係る発明
　当審で通知した取り消しの理由で引用した特許第３０５３０８２号の請求項１ないし３に係る発明は、平成４年１２月３日に特許出願された特願平４−３２３５３６号の一部を分割して特許出願され、その発明について特許権の設定登録後に特許異議の申し立てがなされ、訂正請求がなされ、平成１３年９月２０日付けの決定をもって訂正が認容されると共に、訂正後の請求項３に係る発明の特許が維持されたので、該請求項３に係る発明は以下のとおりである。
【請求項１】　苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、前記操作アーム（１７）のアーム中間部にワイヤ（２１）のインナーワイヤ（２１Ｉ）を直接接続し、前記ワイヤ（２１）を前記操作アーム（１７）から前記上側の送り位置（Ｓ）側に延出して、前記ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて、前記ワイヤ（２１）のインナーワイヤ（２１Ｉ）を押し引き操作することにより、前記操作アーム（１７）の待機位置（Ｔ），（ｔ）を前記操作アーム（１７）の移動方向に沿って変更することにより、前記縦送り機構（８ａ）の苗送り量を変更するように構成してある田植機の縦送り機構調節構造。
　　　　　　　　　　　　　　　　　　　　　　　　　　　　　　　　　
【請求項２】　苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、前記操作アーム（１７）のアーム中間部にワイヤ（２１）のインナーワイヤ（２１Ｉ）を直接接続し、前記ワイヤ（２１）を前記操作アーム（１７）から前記上側の送り位置（Ｓ）側に延出して、前記ワイヤ（２１）のインナーワイヤ（２１Ｉ）を苗取り量の調節レバー（２５）に接続し、前記ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて、前記苗取り量の調節レバー（２５）によって前記ワイヤ（２１）のインナーワイヤ（２１Ｉ）を押し引き操作することにより、前記操作アーム（１７）の待機位置（Ｔ），（ｔ）を前記操作アーム （１７）の移動方向に沿って変更することにより、前記縦送り機構（８ａ）の苗送り量を変更するように構成してある田植機の縦送り機構調節構造。
　　　　　　　　　　　　　　　　　　　　　　　　　　　　　　　　　
【請求項３】　前記苗載せ台（６）の固定部（７）が、前記苗送りベルト（１６）の巻回経路を通して前記苗載せ台（６）の左右方向に亘り、前記苗載せ台（６）に取り付けられている補強部材（７）である請求項１又は２に記載の田植機の縦送り機構調節構造。
（以下、請求項１を引用する請求項３に係る発明を「同日発明１」、請求項２を引用する請求項３に係る発明を「同日発明２」と、それぞれいう。）
　　　　　　　　　　　　　　　　　　　　　　　　　　　　　　　　　
（３）対比・判断  
（3-1）本件発明１について
　本件発明１と同日発明１とを対比すると、
同日発明１における「苗載せ台の苗載せ面に沿って上下方向に配置された苗送りベルトにより、前記苗載せ台に載置された苗を苗取り出し口側に送る縦送り機構」、「「苗載せ台の固定部」及び「前記苗載せ台の固定部が、前記苗送りベルトの巻回経路を通して前記苗載せ台の左右方向に亘り、前記苗載せ台に取り付けられている補強部材」」、「縦送り機構に備えられた操作アーム」、「操作アームに接当して前記操作アームを待機位置から上側の送り位置まで移動操作することにより縦送り機構を作動させる駆動部材」、「操作アームを待機位置側に付勢する付勢部材」、「操作アームにワイヤのインナーワイヤを直接接続」、「「ワイヤのアウターワイヤにおける操作アーム側の端部を固定部に取り付け」及び「固定部が、・・・補強部材である」」、「ワイヤのインナーワイヤを押し引き操作することにより、操作アームの待機位置を操作アームの移動方向に沿って変更」、「縦送り機構の苗送り量を変更」及び「田植機の縦送り機構調節構造」は、
本件発明１における「苗載せ台に載置された苗を苗取り出し口側に送る苗送りベルトを備えた縦送り機構」、「苗載せ台の左右方向に亘る補強フレームを、前記苗送りベルトの巻回経路を通して、前記苗載せ台に取り付け」、「縦送り機構に備えられた操作アーム」、「操作アームに接当して前記操作アームを待機位置から送り位置まで移動操作することにより縦送り機構を作動させる駆動部材」、「操作アームを待機位置側に付勢する付勢部材」、「操作アームにワイヤにおけるインナーワイヤの一端部を直接に接続」、「ワイヤにおけるアウターワイヤの一端部を補強フレームに固定」、「ワイヤにおけるインナーワイヤを押し引き操作することにより、操作アームの待機位置を操作アームの移動方向に沿って変更」、「縦送り機構の苗送り量を調節」及び「田植機の縦送り機構調節構造」に、それぞれ対応しているから、両者は以下の点で一致し、また相違している。
一致点：
　苗載せ台に載置された苗を苗取り出し口側に送る苗送りベルトを備えた縦送り機構において、前記苗載せ台の左右方向に亘る補強フレームを、前記苗送りベルトの巻回経路を通して、前記苗載せ台に取り付け、前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、前記操作アームに、ワイヤにおけるインナーワイヤの一端部を直接に接続し、前記ワイヤにおけるアウターワイヤの一端部を前記補強フレームに固定し、前記ワイヤにおけるインナーワイヤを押し引き操作することにより、前記操作アームの待機位置を前記操作アームの移動方向に沿って変更して、前記縦送り機構の苗送り量を調節するように構成してある田植機の縦送り機構調節構造、の点。
相違点：
a．「補強フレーム」が、本件発明１では「（苗載せ台の左右方向に亘る補強フレームを、苗送りベルトの巻回経路を通して、苗載せ台の）裏側に取り付け」の限定が付されているのに対して、同日発明１では「苗送りベルトの上端よりも下側に配置された（苗載せ台の固定部）」及び「（固定部が、苗送りベルトの巻回経路を通して、苗載せ台の左右方向に亘り、苗載せ台に）取り付け（られている補強部材である）」の限定が付されている点、
b．「操作アーム」に関連して、本件発明１では「縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、」の限定が付されているのに対して同日発明１では「縦送り機構の下部に備えられた操作アーム」の限定が付されている点、
ｃ．「ワイヤにおけるインナーワイヤ」が、本件発明１では「操作アームを移動させて苗送り量の調節を行うための」の限定が付されているのに対して、同日発明１では限定が付されていない点、
ｄ．「インナーワイヤ」の「操作アーム」への接続が、本件発明１では限定が付されていないのに対して、同日発明１では「アーム中間部に」の限定が付されている点、
e．「ワイヤ」が、本件発明１では限定が付されていないのに対して、同日発明１では「操作アームから前記上側の送り位置側に延出して」の限定が付されている点。
　上記相違点について検討する。
　相違点a．に関しては、本件発明１の「補強フレーム」は、「苗送りベルトの巻回経路を通して」、「苗載せ台に取り付け」られることから、必然的に苗載せ台の苗送りベルトの上端よりも下側に配置されることは明らかであり、また、同日発明１における「補強部材」も 、「苗送りベルトの巻回経路を通して苗載せ台に取り付け」られるものであるから、必然的に苗載せ台の裏側に設けられることは明らかであるから、本件発明１及び同日発明１に付された上記各限定は単なる自明な限定にすぎず、「補強フレーム」（「補強部材」）の取り付けに関して両者に実質的な差異はない。
　相違点ｂ．に関しては、本件発明１における「縦送り機構に備えられた（操作アーム）を苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、」の構成は、「操作アーム」が「縦送り機構」の下部に備えられているという技術的概念に包含されるから、本件発明１における上記構成は「操作アーム」に関して、同日発明１における「縦送り機構の下部に備えられた」の構成のさらに下位概念の構成であるということができる。ところで、苗縦送り装置を有する田植機において、縦送りベルトの下側空間にベルト縦送り用の揺動部材（相違点b．における操作アームに対応）と該揺動部材を揺動駆動する駆動部材を配置することはきわめて周知である（必要あれば、実願昭５９−１３６０２８号（実開昭６１−５０５３２号）のマイクロフィルム（第４図を中心に参照）、実願平２−２９８７号（実開平３−９２９１７号）のマイクロフィルム（第４図を中心に参照）、実願昭５４−３６４０９号（実開昭５５−１３６２２４号）のマイクロフィルム（甲第５号証。第６図を中心に参照））。そして、本件発明１において上記した周知技術により構成される下位概念の限定を付した点に格別な技術的意義は認められない。
  相違点c．に関しては、同日発明１においても、「ワイヤのインナーワイヤを押し引き操作することにより、前記操作アームの待機位置を前記操作アームの移動方向に沿って変更して、前記縦送り機構の苗送り量を変更する」のであるから、「ワイヤ」が、「操作アームを移動させて苗送り量の調節を行うための」ワイヤであることは自明であり、本件発明１に付された上記限定は単なる自明な限定にすぎない。
　相違点d．に関しては、操作アームにワイヤを取り付けて、該ワイヤを押し引き操作可能に構成するに際して、ワイヤの取り付け部が該操作アームの回動中心付近であれば、押し引き操作が円滑に行えず、またワイヤの取り付け部が該操作アームの先端付近であっても、ワイヤと操作アームを駆動する駆動部材とが干渉して押し引き操作が円滑に行えないことは明らかであるから、押し引き操作の操作力が操作アームに無駄なく伝わり、しかもワイヤと操作アーム駆動部材とが干渉しないように、ワイヤを操作アームの中間部に取り付けることは当業者が適宜実施する設計事項にすぎず、同日発明１に付された上記限定は単なる自明な限定にすぎない。
  また、相違点e．に関しては、本件発明１における「ワイヤ」も、「ワイヤにおけるインナーワイヤの一端部を直接に」、「操作アームに」、「接続 」するものであるから、必然的に操作アームから上側の送り位置側に延出して設けられていることは明らかであり、同日発明１に付された上記限定は単なる自明な限定にすぎない。
  したがって、上記a．ないしe．の相違はいずれも、自明または周知の限定を付した発明と、同限定を付していない発明との形式上または表現上の相違にすぎないから、本件発明１は同日発明１と実質上同一であると認められ、しかもその発明について特許を受ける一の出願人を定めるための協議をすることができないから、本件発明１の特許は、特許法第３９条第２項の規定に違反して成されたものである。
　　　　　　　　　　　　　　　　　　　　　　　　　　　　　　　　　
（3-2）本件発明２について
　本件発明２と同日発明２とを対比すると、
同日発明２における「苗載せ台の苗載せ面に沿って上下方向に配置された苗送りベルトにより、前記苗載せ台に載置された苗を苗取り出し口側に送る縦送り機構」、「「苗載せ台の固定部」及び「前記苗載せ台の固定部が、前記苗送りベルトの巻回経路を通して前記苗載せ台の左右方向に亘り、前記苗載せ台に取り付けられている補強部材」」、「縦送り機構に備えられた操作アーム」、「操作アームに接当して前記操作アームを待機位置から上側の送り位置まで移動操作することにより縦送り機構を作動させる駆動部材」、「操作アームを待機位置側に付勢する付勢部材」、「操作アームにワイヤのインナーワイヤを直接接続」、「「ワイヤのアウターワイヤにおける操作アーム側の端部を固定部に取り付け」及び「固定部が、・・・補強部材である」」、「ワイヤのアウターワイヤにおける操作アーム側の端部を補強部材に取り付け」、「ワイヤのインナーワイヤを苗取り量の調節レバーに接続」、「苗取り量の調節レバーによってワイヤのインナーワイヤを押し引き操作することにより」、「操作アームの待機位置を操作アームの移動方向に沿って変更」、「縦送り機構の苗送り量を変更」及び「田植機の縦送り機構調節構造」は、
本件発明２における「苗載せ台に載置された苗を苗取り出し口側に送る苗送りベルトを備えた縦送り機構」、「苗載せ台の左右方向に亘る補強フレームを、前記苗送りベルトの巻回経路を通して、前記苗載せ台に取り付け」、「縦送り機構に備えられた操作アーム」、「操作アームに接当して前記操作アームを待機位置から送り位置まで移動操作することにより縦送り機構を作動させる駆動部材」、「操作アームを待機位置側に付勢する付勢部材」、「操作アームにワイヤにおけるインナーワイヤの一端部を直接に接続」、「ワイヤにおけるアウターワイヤの一端部を補強フレームに固定」、「ワイヤにおけるインナーワイヤの他端側を苗取り量の調節レバーに接続」、「苗取り量の調節レバーによるワイヤの押し引き操作で」、「操作アームの待機位置を操作アームの移動方向に沿って変更」、「縦送り機構の苗送り量を調節」及び「田植機の縦送り機構調節構造」に、それぞれ対応しているから、両者は以下の点で一致し、また相違している。
一致点：
　苗載せ台に載置された苗を苗取り出し口側に送る苗送りベルトを備えた縦送り機構において、前記苗載せ台の左右方向に亘る補強フレームを、前記苗送りベルトの巻回経路を通して、前記苗載せ台に取り付け、前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、前記操作アームに、ワイヤにおけるインナーワイヤの一端部を直接に接続し、前記ワイヤにおけるアウターワイヤの一端部を前記補強フレームに固定し、前記ワイヤにおけるインナーワイヤの他端側を苗取り量の調節レバーに接続して、前記苗取り量の調節レバーによる前記ワイヤの押し引き操作で、前記操作アームの待機位置を前記操作アームの移動方向に沿って変更することにより、前記縦送り機構の苗送り量を調節するように構成してある田植機の縦送り機構調節構造、の点。
相違点：
a．「補強フレーム」が、本件発明２では「（苗載せ台の左右方向に亘る補強フレームを、苗送りベルトの巻回経路を通して、苗載せ台の）裏側に取り付け」の限定が付されているのに対して、同日発明２では「苗送りベルトの上端よりも下側に配置された（苗載せ台の固定部）」及び「（固定部が、苗送りベルトの巻回経路を通して、苗載せ台の左右方向に亘り、苗載せ台に）取り付け（られている補強部材である）」の限定が付されている点、
b．「操作アーム」に関連して、本件発明２では「縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、」の限定が付されているのに対して同日発明２では「縦送り機構の下部に備えられた操作アーム」の限定が付されている点、
ｃ．「ワイヤにおけるインナーワイヤ」が、本件発明２では「操作アームを移動させて苗送り量の調節を行うための」の限定が付されているのに対して、同日発明２では限定が付されていない点、
ｄ．「インナーワイヤ」の「操作アーム」への接続が、本件発明２では限定が付されていないのに対して、同日発明２では「アーム中間部に」の限定が付されている点、
e．「ワイヤ」が、本件発明２では限定が付されていないのに対して、同日発明２では「操作アームから前記上側の送り位置側に延出して」の限定が付されている点。
  上記相違点について検討すると、「（3-1）本件発明１について」に記載した理由と同じ理由により、上記a．ないしe．の相違はいずれも、自明または周知の限定を付した発明と、同限定を付していない発明との形式上または表現上の相違にすぎないから、本件発明２は同日発明２と実質上同一であると認められ、しかもその発明について特許を受ける一の出願人を定めるための協議をすることができないから、本件発明２の特許は、特許法第３９条第２項の規定に違反して成されたものである。　　　　　　　　　　　　　　　　　　　　　　　　　　　　　　　　　　　　　　　　　　　
（3-3）本件発明３について
  本件発明３は本件発明１または本件発明２を引用して記載されているところ、本件発明１及び本件発明２についての対比・判断は、それぞれ、上記「（3-1）本件発明１について」及び「（3-2）本件発明２について」に記載したとおりであるので、本件発明３において、本件発明１または本件発明２を限定し、もしくは本件発明１または本件発明２に付加された構成（以下、「本件発明３における限定構成」という）について検討すると、本件発明３における限定構成である、「前記操作アーム（１７）の前記送り位置（Ｓ）側への移動を前記縦送り機構（８ａ）に伝達し、且つ、前記操作アーム（１７）の前記待機位置（Ｔ），（ｔ）側への移動を前記縦送り機構（８ａ）に伝達しない一方向クラッチ（２０）を備えて、前記操作アーム（１７）が前記縦送り機構（８ａ）に備えられている部分に、前記一方向クラッチ（２０）を配置してある」の構成は、下記に例示するようにきわめて周知であるから、本件発明３は、同日発明１または同日発明２に、単に周知技術を付加したものにすぎず、同日発明１または同日発明２と実質上同一であると認められ、しかもその発明について特許を受ける一の出願人を定めるための協議をすることができないから、本件発明３の特許は、特許法第３９条第２項の規定に違反して成されたものである。
　周知例１：実願平２−２９８７号（実開平３−９２９１７号）の願書に添　　　　　　付した明細書及び図面の内容を撮影したマイクロフィルム（甲　　　　　　第３号証）（８頁２−５行の「ワンウェイクラッチ」参照）
　周知例２：実願昭５４−３６４０９号（実開昭５５−１３６２２４号）の　　　　　　願書に添付した明細書及び図面の内容を撮影したマイクロフィ　　　　　　ルム（甲第５号証）（５頁１４−６頁８行の「一方向送りクラ　　　　　　ッチ（４５）」参照）
　周知例３：特開昭５９−２１０８２１号公報（甲第６号証）（２頁右下欄　　　　　　２−９行の「一方向クラッチ１７」参照）
　　　　　　　　　　　　　　　　　　　　　　　　　　　　　　　　　
（４）むすび
　以上のとおりであるから、本件請求項１ないし３に係る発明は、特許法第３９条第２項の規定により特許を受けることができない。
　したがって、本件請求項１ないし３に係る発明についての特許は拒絶の査定をしなけらばならない特許出願に対してされたものと認める。　　　　　　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年４月２４日（２００２．４．２４）
【訂正の要旨】
訂正の要旨
訂正事項ａ
　特許明細書の特許請求の範囲の請求項１の記載を下記のとおり訂正。
　【請求項１】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記縦送り機構（８ａ）に備えられた操作アーム（１７）を苗送りベルト（１６）による苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、
　前記ワイヤ（２１）におけるインナーワイヤ（２１Ｉ）を押し引き操作することにより、前記操作アーム（１７）の待機位置（Ｔ），（ｔ）を前記操作アーム（１７）の移動方向に沿って変更して、前記縦送り機構（８ａ）の苗送り量を調節するように構成してある田植機の縦送り機構調節構造。
訂正事項ｂ
　特許明細書の特許請求の範囲の請求項２の記載を下記のとおり訂正。
　【請求項２】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記縦送り機構（８ａ）に備えられた操作アーム（１７）を苗送りベルト（１６）による苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、前記ワイヤ（２１）におけるインナーワイヤ（２１Ｉ）の他端側を苗取り量の調節レバー（２５）に接続して、
　前記苗取り量の調節レバー（２５）による前記ワイヤ（２１）の押し引き操作で、前記操作アーム（１７）の待機位置（Ｔ），（ｔ）を前記操作アーム（１７）の移動方向に沿って変更することにより、前記縦送り機構（８ａ）の苗送り量を調節するように構成してある田植機の縦送り機構調節構造。
訂正事項ｃ
　特許明細書の段落【０００７】の記載を下記のとおり訂正。
　【０００７】
　【課題を解決するための手段】
　本発明の特徴は以上のような田植機の縦送り機構調節構造において、次のように構成することにある。
［１］　苗載せ台に載置された苗を苗取り出し口側に送る苗送りベルトを備えた縦送り機構において、
　前記苗載せ台の左右方向に亘る補強フレームを、前記苗送りベルトの巻回経路を通して、前記苗載せ台の裏側に取り付け、
　前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、
　前記縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、
　前記操作アームに、その操作アームを移動させて苗送り量の調節を行うためのワイヤにおけるインナーワイヤの一端部を直接に接続し、前記ワイヤにおけるアウターワイヤの一端部を前記補強フレームに固定し、
　前記ワイヤにおけるインナーワイヤを押し引き操作することにより、前記操作アームの待機位置を前記操作アームの移動方向に沿って変更して、前記縦送り機構の苗送り量を調節するように構成してある。
訂正事項ｄ
　特許明細書の段落【０００８】の記載を下記のとおり訂正。
　【０００８】
［２］　請求項２に記載したように、苗載せ台に載置された苗を苗取り出し口側に送る苗送りベルトを備えた縦送り機構において、
　前記苗載せ台の左右方向に亘る補強フレームを、前記苗送りベルトの巻回経路を通して、前記苗載せ台の裏側に取り付け、
　前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、
　前記縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、
　前記操作アームに、その操作アームを移動させて苗送り量の調節を行うためのワイヤにおけるインナーワイヤの一端部を直接に接続し、前記ワイヤにおけるアウターワイヤの一端部を前記補強フレームに固定し、前記ワイヤにおけるインナーワイヤの他端側を苗取り量の調節レバーに接続して、
　前記苗取り量の調節レバーによる前記ワイヤの押し引き操作で、前記操作アームの待機位置を前記操作アームの移動方向に沿って変更することにより、前記縦送り機構の苗送り量を調節するように構成してもよい。
（５４）【発明の名称】
田植機の縦送り機構調節構造
（５７）【特許請求の範囲】
　【請求項１】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　
前記縦送り機構（８ａ）に備えられた操作アーム（１７）を苗送りベルト（１６）による苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、
　前記ワイヤ（２１）におけるインナーワイヤ（２１Ｉ）を押し引き操作することにより、前記操作アーム（１７）の待機位置（Ｔ），（ｔ）を前記操作アーム（１７）の移動方向に沿って変更して、前記縦送り機構（８ａ）の苗送り量を調節するように構成してある田植機の縦送り機構調節構造。
　【請求項２】　苗載せ台（６）に載置された苗（Ｗ）を苗取り出し口（ａ）側に送る苗送りベルト（１６）を備えた縦送り機構（８ａ）において、
　前記苗載せ台（６）の左右方向に亘る補強フレーム（７）を、前記苗送りベルト（１６）の巻回経路を通して、前記苗載せ台（６）の裏側に取り付け、
　前記縦送り機構（８ａ）に備えられた操作アーム（１７）と、前記操作アーム（１７）に接当して前記操作アーム（１７）を待機位置（Ｔ），（ｔ）から送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　
前記縦送り機構（８ａ）に備えられた操作アーム（１７）を苗送りベルト（１６）により苗送り方向での先端部に位置させて、その操作アーム（１７）と前記駆動部材（１９）とを、前記待機位置（Ｔ），（ｔ）から送り位置（Ｓ）に至るそれぞれの作動範囲が前記苗送りベルト（１６）の下側空間に位置する状態で配設し、
　前記操作アーム（１７）に、その操作アーム（１７）を移動させて苗送り量の調節を行うためのワイヤ（２１）におけるインナーワイヤ（２１Ｉ）の一端部を直接に接続し、前記ワイヤ（２１）におけるアウターワイヤ（２１Ｕ）の一端部を前記補強フレーム（７）に固定し、前記ワイヤ（２１）におけるインナーワイヤ（２１Ｉ）の他端側を苗取り量の調節レバー（２５）に接続して、
　前記苗取り量の調節レバー（２５）による前記ワイヤ（２１）の押し引き操作で、前記操作アーム（１７）の待機位置（Ｔ），（ｔ）を前記操作アーム（１７）の移動方向に沿って変更することにより、前記縦送り機構（８ａ）の苗送り量を調節するように構成してある田植機の縦送り機構調節構造。
　【請求項３】　前記操作アーム（１７）の前記送り位置（Ｓ）側への移動を前記縦送り機構（８ａ）に伝達し、且つ、前記操作アーム（１７）の前記待機位置（Ｔ），（ｔ）側への移動を前記縦送り機構（８ａ）に伝達しない一方向クラッチ（２０）を備えて、
　前記操作アーム（１７）が前記縦送り機構（８ａ）に備えられている部分に、前記一方向クラッチ（２０）を配置してある請求項１又は２記載の田植機の縦送り機構調節構造。
【発明の詳細な説明】
　【０００１】
　【産業上の利用分野】
　本発明は、苗載せ台に載置された苗を苗取り出し口側に送る縦送り機構を備えた田植機において、縦送り機構の苗送り量を変更する縦送り機構調節構造に関する。
　【０００２】
　【従来の技術】
　田植機では、苗植付機構が苗取り出し口を通過して苗を取り出し田面に植え付けるように構成されており、苗植付機構による苗の植え付けに伴って、苗載せ台に載置された苗が縦送り機構により苗取り出し口側に送られるように構成されている。
　このような田植機では一般に、苗植付機構の苗取り量が変更できるように構成されているので、苗植付機構の苗取り量が変更されると、これに合わせて縦送り機構の苗送り量も変更して、苗植付機構の苗取り量の変更に関係なく、苗載せ台に載置された苗が縦送り機構により苗取り出し口側に過不足なく送られるようにする必要がある。
　【０００３】
　前述のような縦送り装置の苗送り量を変更する技術としては、下記の［１］，［２］に記載のものが従来より知られている。
［１］　苗のせ台の苗載せ面に縦送り機構の苗送りベルトを備え、その苗送りベルトを苗のせ台の左右移動端位置で縦送り作動させるための操作アームと、その操作アームに接当して操作アームを待機位置から送り位置まで駆動揺動する駆動カム部材とを備えるとともに、前記操作アームに操作ロッドを連結して、その操作ロッドの遊端を苗のせ台の背面に沿って上方に高く延設し、その操作ロッドの長さ方向位置を変更することで、前記待機位置を変更できるようにした苗送り調整装置付き田植機（例えば、特開昭５９−１５６２１１号公報参照）。
［２］　苗のせ台の苗載せ面に縦送り機構を備え、その縦送り機構を苗のせ台の左右移動端位置で縦送り作動させるための操作アームと、その操作アームに接当して操作アームを待機位置から送り位置まで駆動揺動する駆動カム部材とを備えるとともに、前記操作アームとは別に、操作アームの待機位置を決めるストッパーを設け、そのストッパーに操作用のワイヤを連結して、ストッパー姿勢を変更することにより、操作アームの待機位置を調節できるように構成したもの（例えば、実公平４−３６５７９号公報参照）。
　【０００４】
　上記の各従来技術では、縦送り機構の操作アームの待機位置を送り位置側寄りに変化させると、駆動部材により操作アームが待機位置から送り位置に移動操作される際のストロークが短くなって、縦送り機構の苗送り量が小さくなる。逆に、ストッパーにより操作アームの待機位置を送り位置から離れる側に変化させると、駆動部材により操作アームが待機位置から送り位置に移動操作される際のストロークが長くなって、縦送り機構の苗送り量が大きくなる。
　【０００５】
　【発明が解決しようとする課題】
　上記［１］に記載した従来技術によると、操作アームの待機位置の変更を、操作ロッドの押し引き操作によって容易に行い易い点では有用なものではあるが、所定角度範囲内で揺動運動をする操作アームと、押し引き操作される操作ロッドとの、互いに運動方向の異なる部材どうしが連動連結されるものであるため、操作ロッドの押し引き方向の運動に揺動運動による振れが加わり、その動きがギクシャクとしたものとなりがちであり、ガタの発生や耐久性の低下を伴い易い。
　さらに、操作ロッドの操作部は、操作アームの揺動面に沿う方向で操作される必要があり、その操作ロッドの配設位置や操作方向に大きな制約を受けるので、設計上の自由度が低いものであった。
　また、上記［２］に記載の従来技術によると、操作アームをワイヤで操作するものであるから、操作ロッドによる操作を行うような前者の従来技術に比べて、ガタの発生や設計上の自由度を高め得る点では有用なものであるが、その反面、次のような問題がある。
　つまり、前述のように操作アームとストッパーとを用いて操作アームの待機位置を決定する構造を備えた場合、駆動部材によって縦送り機構の操作アームが待機位置から送り位置に移動操作される際に、操作アームがストッパーから離れて送り位置に移動することになり、次に操作アームがバネ等の付勢部材の作用により送り位置から待機位置側に移動し、ストッパーに接当して待機位置に戻る。従って、苗の植付作業時に泥等が多く付着する田植機において、操作アームが送り位置から待機位置に戻る際に、操作アームとストッパーとの間に泥等が挟み込まれるおそれがある。
　このように縦送り機構の操作アームとストッパーとの間に泥等が挟み込まれると、ストッパーによって決められる待機位置から、挟み込まれた泥等の分だけ操作アームが送り位置に接近することになり、挟み込まれた泥等の分だけ操作アームの待機位置が送り位置に接近することになって、縦送り機構の苗送り量が所望の値よりも小さなものとなってしまう。
　【０００６】
　本発明は田植機の縦送り機構調節構造において、耐久性ならびに設計上の自由度の高いものでありながら、泥等の挟み込み等により縦送り機構の苗送り量が、所望の値よりも小さなものとなってしまうような状態を防止することを目的としている。
　【０００７】
　【課題を解決するための手段】
　本発明の特徴は以上のような田植機の縦送り機構調節構造において、次のように構成することにある。
［１］　苗載せ台に載置された苗を苗取り出し口側に送る苗送りベルトを備えた縦送り機構において、
　前記苗載せ台の左右方向に亘る補強フレームを、前記苗送りベルトの巻回経路を通して、前記苗載せ台の裏側に取り付け、
　前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、
　
前記縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、
　前記操作アームに、その操作アームを移動させて苗送り量の調節を行うためのワイヤにおけるインナーワイヤの一端部を直接に接続し、前記ワイヤにおけるアウターワイヤの一端部を前記補強フレームに固定し、
　前記ワイヤにおけるインナーワイヤを押し引き操作することにより、前記操作アームの待機位置を前記操作アームの移動方向に沿って変更して、前記縦送り機構の苗送り量を調節するように構成してある。
　【０００８】
［２］　請求項２に記載したように、苗載せ台に載置された苗を苗取り出し口側に送る苗送りベルトを備えた縦送り機構において、
　前記苗載せ台の左右方向に亘る補強フレームを、前記苗送りベルトの巻回経路を通して、前記苗載せ台の裏側に取り付け、
　前記縦送り機構に備えられた操作アームと、前記操作アームに接当して前記操作アームを待機位置から送り位置まで移動操作することにより前記縦送り機構を作動させる駆動部材と、前記操作アームを前記待機位置側に付勢する付勢部材とを備えると共に、
　
前記縦送り機構に備えられた操作アームを苗送りベルトによる苗送り方向での先端部に位置させて、その操作アームと前記駆動部材とを、前記待機位置から送り位置に至るそれぞれの作動範囲が前記苗送りベルトの下側空間に位置する状態で配設し、
　前記操作アームに、その操作アームを移動させて苗送り量の調節を行うためのワイヤにおけるインナーワイヤの一端部を直接に接続し、前記ワイヤにおけるアウターワイヤの一端部を前記補強フレームに固定し、前記ワイヤにおけるインナーワイヤの他端側を苗取り量の調節レバーに接続して、
　前記苗取り量の調節レバーによる前記ワイヤの押し引き操作で、前記操作アームの待機位置を前記操作アームの移動方向に沿って変更することにより、前記縦送り機構の苗送り量を調節するように構成してもよい。
　【０００９】
［３］　請求項３に記載のように、請求項１又は２記載の構成において、操作アームの送り位置側への移動を縦送り機構に伝達し、且つ、操作アームの待機位置側への移動を縦送り機構に伝達しない一方向クラッチを備えて、操作アームが縦送り機構に備えられている部分に、一方向クラッチを配置してもよい。
　【００１０】
　【作用】
［Ｉ］　請求項１及び２の特徴によると、縦送り機構の操作アームにワイヤを直接に接続して送り位置側に延出し、操作アームを待機位置側に付勢する付勢部材を備えているので、ワイヤ及び付勢部材により操作アームの待機位置が決まる。
　これによって請求項１及び２の特徴によると、ワイヤを引き操作して（苗取り量の調節レバーによってワイヤを引き操作して）、縦送り機構の操作アームの待機位置を操作アームの移動方向に沿って送り位置に接近させれば、駆動部材により操作アームが待機位置から送り位置に移動操作される際のストロークが小さくなって、縦送り機構の苗送り量が小さくなる。
　逆に、ワイヤを押し操作して（苗取り量の調節レバーによってワイヤを押し操作して）、縦送り機構の操作アームの待機位置を操作アームの移動方向に沿って送り位置から離間させれば、駆動部材により操作アームが待機位置から送り位置に移動操作される際のストロークが大きくなって、縦送り機構の苗送り量が大きくなる。
　【００１１】
［ＩＩ］　前項［Ｉ］に記載のように請求項１及び２の特徴によると、縦送り機構の操作アームにワイヤを直接に接続することによって、操作アームの待機位置を変更するように構成している。
　このように請求項１及び２の特徴では、ワイヤにより直接に操作アームの待機位置を変更できるように構成しているので、「従来の技術」に記載のように、操作アームに接当するストッパーの位置を変更して操作アームの待機位置を変更する構成に比べて、操作アームが送り位置から待機位置に戻る際に、操作アームとストッパーとの間に泥等が挟み込まれると言うような状態は生じることがなく、操作アームの待機位置を精度良く設定することができる。
　【００１２】
［ＩＩＩ］　請求項１及び２の特徴のように、縦送り機構の操作アームにワイヤを直接に接続していると、駆動部材により操作アームが待機位置から送り位置に移動操作された際、操作アームによりワイヤが押し操作されることになるが、この場合にはワイヤが弛んで操作アームの待機位置から送り位置への移動が吸収されるので、ワイヤにおける操作アームとは反対側（ワイヤにおける苗取り量の調節レバー側）に、悪影響が及ぶことはない。また、ワイヤによる操作であるから、操作アームとは反対側におけるワイヤの操作方向や操作位置は、操作アームの操作方向や操作位置によって制約されることなく自在に設定することができる。
　【００１３】
［ＩＶ］　また、請求項１及び２の特徴によると、操作アームに連係されたワイヤにおけるアウターワイヤの一端部を、前記苗送りベルトの巻回経路を通して苗載せ台の裏側に取り付けられた補強フレームに固定している。従って、苗送りベルトの配設箇所よりも苗送り方向での上手側位置にアウターワイヤの固定部を設ける場合に比べて、アウターワイヤにおける操作アーム側の端部が操作アームに接近することになり、ワイヤのアウターワイヤから操作アーム側に出ているインナーワイヤの露出部分の長さを短かくすることができる。このため、精度良く取り付けが行え、結果的に精度の良い苗送り調節が行える。
　【００１４】
［Ｖ］　請求項３の特徴によると、請求項１又は２の場合と同様に前項［Ｉ］［ＩＩ］［ＩＩＩ］に記載の「作用」を備えており、これに加えて以下のような「作用」を備えている。
　縦送り機構においては、操作アームの送り位置側への移動を縦送り機構に伝達し、且つ、操作アームの待機位置側への移動を縦送り機構に伝達しない一方向クラッチを備えて、操作アームが付勢部材により送り位置から待機位置に移動操作された際、縦送り機構が作動しないように構成することが多くある。
　請求項３の特徴のように、操作アームが縦送り機構に備えられている部分に一方向クラッチを配置すると、操作アーム及び一方向クラッチをコンパクトに配置することができる。
　【００１５】
　【発明の効果】
　請求項１及び２の特徴によると、田植機の縦送り機構調節構造において縦送り機構の操作アームにワイヤを直接に接続して、操作アームの待機位置を変更するように構成することにより、操作アームとストッパーとの間に泥等が挟み込まれて、縦送り機構の苗送り量が所望の値よりも小さなものとなると言う状態を未然に回避することができるようになり、縦送り機構を所望の苗送り量で安定して作動させることができるようになった。これにより、苗植付機構の苗取り量の変更に関係なく、縦送り機構により苗が苗取り出し口側に過不足なく安定して送られるようになって、田植機の植付性能を向上させることができた。また、ワイヤによる操作であるから、操作アームとは反対側におけるワイヤの操作方向や操作位置は、操作アームの操作方向や操作位置とは関係なく設定することができ、設計上の自由度も格段に高くなる。
　【００１６】
　請求項１及び２の特徴によると、駆動部材により縦送り機構の操作アームが待機位置から送り位置に移動操作された際、ワイヤが弛んで操作アームの待機位置から送り位置への移動が吸収されて、ワイヤにおける操作アームとは反対側（ワイヤにおける苗取り量の調節レバー側）に悪影響が及ぶことはないので、縦送り機構の操作アームにワイヤを直接に接続することによる耐久性の低下等を伴うものではない。
　【００１７】
　また、請求項１及び２の特徴によると、操作アームに連係されたワイヤにおけるアウターワイヤの一端部を、前記苗送りベルトの巻回経路を通して苗載せ台の裏側に取り付けられた補強フレームに固定している。
　したがって、苗載せ台の補強のための部材を利用して、アウターワイヤの端部位置を操作アームに近づけることができる。このため、精度良く取り付けが行え、結果的に精度の良い苗送り調節が行える。
　【００１８】
　請求項３の特徴によると、請求項１又は２の場合と同様に前述の請求項１又は２の「発明の効果」を備えており、この「発明の効果」に加えて以下のような「発明の効果」を備えている。
　請求項３の特徴のように、操作アームが縦送り機構に備えられている部分に一方向クラッチを配置することにより、操作アーム及び一方向クラッチをコンパクトに配置することができるようになって、縦送り機構の構造の簡素化及び小型化を図ることができた。
　【００１９】
　【実施例】
　以下、本発明の実施例を図面に基づいて説明する。
　図１に示すように本機（図示せず）の後端に設けられた四連リンク機構１に、本機から動力の伝達を受けるフィードケース２を連結し、フィードケース２の下端に横向きフレーム３を架設して、横向きフレーム３から後方に向けて複数個の植付伝動ケース４を延出している。植付伝動ケース４の前端部に亘り横向きフレーム３と平行に伝動軸を架設して、植付伝動ケース４への伝動構造を構成し、植付伝動ケース４の後端部に苗植付機構５、植付伝動ケース４の上方に苗植付機構５の植付作動に連動して左右に一定ストロークで往復横移動する苗載せ台６を設けて、乗用型の田植機に搭載される苗植付装置を構成している。
　【００２０】
　次に、苗載せ台６の往復横移動の構造について説明する。図２及び図３に示すように、苗載せ台６の背面側に全幅に亘って横向きの補強フレーム７を掛け渡して、組立状態の苗載せ台６を補強している。植付条毎にマット状の苗Ｗを区画する側壁６Ａを苗載せ台６に設けて、側壁６Ａにより苗載せ台６を植付条毎の苗載せ台部分に分割しており、補強フレーム７で組立状態の苗載せ台６を補強している。
　【００２１】
　図２及び図３に示すように、後述する縦送り装置８が囲む内部空間を貫通する補強フレーム７から前方側に第１ブラケット９を延出し、第１ブラケット９に苗載せ台６の横送り機構Ａを連結している。図２及び図３に示すように、フィードケース２から螺旋軸１０を横向きに延出して、螺旋軸１０に外嵌されて螺旋軸１０の軸芯方向に横移動する移動体１１を設け、移動体１１に螺旋軸１０の螺旋溝に咬合するコマ部材１２を内装して、螺旋軸１０の回転によりコマ部材１２と一体で移動体１１が横移動するように構成しており、移動体１１と第１ブラケット９とを連結部材１３を介して連結している。
　以上の構成により、フィードケース２の駆動機構（図示せず）により螺旋軸１０を回転させて、移動体１１を一定ストロークで往復横移動させ、苗載せ台６を左右に一定ストロークで往復横移動させる。
　【００２２】
　次に、縦送り装置８について説明する。図２，３，４に示すように、下方に位置する駆動プーリ１４と上方に位置する従動プーリ１５とに亘って、突起付きのベルト１６を巻回して苗送りベルト機構８ａ（縦送り機構に相当）を構成しており、苗送りベルト機構８ａを植付条毎に２つ並設している。駆動プーリ１４に一方向クラッチ２０を介して連動する操作アーム１７を備えて、苗送りベルト機構８ａが苗Ｗを下方に送る下降方向では、駆動プーリ１４と操作アーム１７とが一体回動し、反下降方向では駆動プーリ１４と操作アーム１７との連動状態が絶たれるように一方向クラッチ２０を構成しており、苗送りベルト機構８ａの反下降方向側に操作アーム１７を付勢するつる巻きバネ２３（付勢部材に相当）を設けている。
　【００２３】
　これにより、フィードケース２から突出して常時回転する回転軸１８に備えられた駆動アーム１９（駆動部材に相当）の回転軌跡と、操作アーム１７の回動軌跡とが、苗載せ台６の往復横移動のストロークエンドで一致して、図３に示すように駆動アーム１９が操作アーム１７を待機位置Ｔから送り位置Ｓまで移動操作することにより、苗送りベルト機構８ａが苗Ｗを苗取り出し口ａ側に送るように構成している。
　【００２４】
　図３に示すように、つる巻きバネ２３の付勢により操作アーム１７の待機位置Ｔを設定する調節レバー２５を設け、調節レバー２５と操作アーム１７とをボーデンケーブル構造のワイヤ２１で連動連結している。ワイヤ２１におけるアウターワイヤ２１Ｕの操作アーム１７側の端部を、苗載せ台６の支持部材２２に対してワイヤ２１の軸芯方向に所定範囲で相対移動自在に連結して、アウタ受け部ｂを構成しており、受け板２４が固定された補強フレーム７に支持部材２２を取り付けている。ワイヤ２１のインナーワイヤ２１Ｉを操作アーム１７に直接に接続しており、インナーワイヤ２１Ｉを操作アーム１７から上方の支持部材２２側（操作アーム１７の送り位置Ｓ側）に延出している。
　【００２５】
　図３に示すように、アウターワイヤ２１Ｕが調節レバー２５側に向けて付勢されるように、アウターワイヤ２１Ｕの操作アーム１７側の端部の筒部分を、抜けないように支持部材２２に支持して、アウターワイヤ２１Ｕのつば部２１ｔと支持部材２２との間に、圧縮型の巻きバネ２６を設けている。巻きバネ２６によってアウターワイヤ２１Ｕに作用する付勢力を、つる巻きバネ２３によって操作アーム１７に接続されたインナーワイヤ２１Ｉに作用する付勢力よりも大に設定しており、つる巻きバネ２３による操作アーム１７の待機位置Ｔへの付勢力によって、巻きバネ２６が圧縮変形しないようにしている。
　【００２６】
　以上の構成により、苗植付機構５の苗取り量を多くする場合には、調節レバー２５を多側に操作してインナーワイヤ２１Ｉを操作アーム１７側に戻し操作し、操作アーム１７の待機位置Ｔを下側に変更する。このように操作アーム１７の待機位置Ｔを送り位置Ｓから下方に離間させると、駆動アーム１９により操作アーム１７が待機位置Ｔから送り位置Ｓに移動操作される際のストロークが大きくなって、苗送りベルト機構８ａの苗送り量が大きくなる。
　【００２７】
　逆に苗植付機構５の苗取り量を少なくする場合には、図４に示すように調節レバー２５を少側に操作して、インナーワイヤ２１Ｉを調節レバー２５側に引き操作し、操作アーム１７の待機位置Ｔを上側の待機位置ｔに変更する。このように操作アーム１７の待機位置Ｔを送り位置Ｓに接近した待機位置ｔに変更すると、駆動アーム１９により操作アーム１７が待機位置ｔから送り位置Ｓに移動操作される際のストロークが小さくなって、苗送りベルト機構８ａの苗送り量が小さくなる。
　【００２８】
　この場合、待機位置Ｔから待機位置ｔへの操作アーム１７の移動によって、苗送りベルト機構８ａが作動し、苗Ｗが苗取り出し口ａ側に送られて苗載せ台６の下端のガイドレール２７に押し付けられるようになるが、この状態を巻きバネ２６の圧縮変形によるアウターワイヤ２１Ｕの変位によって吸収できるので、調節レバー２５の操作が重くなるとか、ガイドレール２７への押し付けによって苗Ｗが崩れると言った不都合は生じない。この状態において前述の理由により、操作アーム１７の待機位置Ｔが待機位置ｔに直ちに移動しないことがあるが、その後の苗送りベルト機構８ａの作動によって巻きバネ２６が元の状態に戻り、直ぐに操作アーム１７の待機位置Ｔが待機位置ｔに移動する。
　【００２９】
　図１に示すように変更レバー（図示せず）、変更アーム２９、ガイドレール２７にボルト止めされたブラケット３０により、苗載せ台６に載置された苗Ｗの下端位置を変えて苗取り量を変更する変更機構Ｂが構成されている。図５に示すようにブラケット３０は、正面視横倒れＪ字形状の屈曲板３０ａに支持棒３０ｂをを２箇所で固定して構成されており、屈曲板３０ａで形成された空間部３０ｃに変更アーム２９の先端部を入り込ませている。
　【００３０】
　尚、特許請求の範囲の項に図面との対照を便利にするために符号を記すが、該記入により本発明は添付図面の構成に限定されるものではない。
【図面の簡単な説明】
　【図１】
　苗植付装置の全体側面図
　【図２】
　苗載せ台と横送り機構との連結状態を示す横断面図
　【図３】
　縦送り装置付近の構造を示す側面図
　【図４】
　縦送り装置の下部付近の構造を示す側面図
　【図５】
　苗取り量の調節用のブラケットの斜視図
　【符号の説明】
　６　　　　苗載せ台
　８ａ　　　縦送り機構
　１７　　　操作アーム
　１９　　　駆動部材
　２０　　　一方向クラッチ
　２１　　　ワイヤ
　２３　　　付勢部材
　２５　　　調節レバー
　ａ　　　　苗取り出し口
　Ｔ，ｔ　　待機位置
　Ｓ　　　　送り位置
　Ｗ　　　　苗